(57)【要約】      （修正有）【課題】木質フローリングの収縮や膨張によるロック解除を効果的に回避することのできる安定型ロック構造を有する木質フローリングを提供する。【解決手段】安定型ロック構造は、雄ほぞ構造１００と雌ほぞ構造２００とを含む。雄ほぞ構造１００は、雄ほぞ部１１０と、雄ほぞ部１１０の下底面に形成された雄ほぞ凸部１２０とを含み、雌ほぞ構造２００は、雌ほぞ部２１０と、雌ほぞ部２１０の内底面に開設された雌ほぞ凹部２２０とを含み、且つ、雌ほぞ凹部２２０が雄ほぞ凸部１２０と合わさる。雄ほぞ構造１００は、雄ほぞ部１１０の前縁上部に形成された前縁凸部１３０をさらに含み、雌ほぞ構造２００は、雌ほぞ部２１０の内頂面に開設された内縁凹部２３０をさらに含み、且つ、内縁凹部２３０が前縁凸部１３０と合わさる。【選択図】図１
0003227822.tif 000002
【実用新案登録請求の範囲】
【請求項１】
雄ほぞ構造（１００）と雌ほぞ構造（２００）とを含み、
前記雄ほぞ構造（１００）が、雄ほぞ部（１１０）と、前記雄ほぞ部（１１０）の下底面に形成された雄ほぞ凸部（１２０）とを含み、前記雌ほぞ構造（２００）が、雌ほぞ部（２１０）と、前記雌ほぞ部（２１０）の内底面に開設された雌ほぞ凹部（２２０）とを含み、且つ、前記雌ほぞ凹部（２２０）が前記雄ほぞ凸部（１２０）と合わさる安定型ロック構造であって、
前記雄ほぞ構造（１００）は、前記雄ほぞ部（１１０）の前縁上部に形成された前縁凸部（１３０）をさらに含み、前記雌ほぞ構造（２００）は、前記雌ほぞ部（２１０）の内頂面に開設された内縁凹部（２３０）をさらに含み、且つ、前記内縁凹部（２３０）が前記前縁凸部（１３０）と合わさる
ことを特徴とする安定型ロック構造。
【請求項２】
前記前縁凸部（１３０）の凸起高さは、０．４５ｍｍ〜０．７５ｍｍである
ことを特徴とする請求項１に記載の安定型ロック構造。
【請求項３】
前記前縁凸部（１３０）は、前記雄ほぞ部（１１０）の基端側に近い前縁凸部内側面（１３１）と、前記雄ほぞ部（１１０）の前端面に接続される前縁凸部外側面（１３２）とを含み、
前記前縁凸部内側面（１３１）の頂線と根元部とによって形成された平面（Ｂ）と、前記雄ほぞ部（１１０）の上頂面とのなす角度が１４０°〜１５０°である
ことを特徴とする請求項１に記載の安定型ロック構造。
【請求項４】
前記内縁凹部（２３０）は、前記前縁凸部内側面（１３１）に当接して合わさる第一の内縁凹部側壁（２３１）と、前記第一の内縁凹部側壁（２３１）に対向する第二の内縁凹部側壁（２３２）と、内縁凹部底面（２３３）とを含み、
前記第一の内縁凹部側壁（２３１）と第一の頂面部（２４１）とのなす角度が１３５°〜１４５°である
ことを特徴とする請求項３に記載の安定型ロック構造。
【請求項５】
前記第二の内縁凹部側壁（２３２）と第二の頂面部（２４２）とのなす角度が１５０°〜１６０°である
ことを特徴とする請求項４に記載の安定型ロック構造。
【請求項６】
前記第一の頂面部（２４１）と前記雄ほぞ部（１１０）の上頂面との間には０．０８ｍｍ〜０．１２ｍｍの隙間が設けられている
ことを特徴とする請求項５に記載の安定型ロック構造。
【請求項７】
前記第一の頂面部（２４１）とフローリング表面との間の距離は、前記第二の頂面部（２４２）とフローリング表面との間の距離よりも０．３２ｍｍ〜０．５０ｍｍ大きい
ことを特徴とする請求項５に記載の安定型ロック構造。
【請求項８】
前記雄ほぞ凸部（１２０）は、第一の凸部側面（１２１）と、第二の凸部側面（１２２）と、凸部頂面（１２３）とを含み、
前記雌ほぞ凹部（２２０）は、前記第一の凸部側面（１２１）、前記第二の凸部側面（１２２）及び前記凸部頂面（１２３）にそれぞれ合わさる、第一の凹部側面（２２１）、第二の凹部側面（２２２）及び凹部底面（２２３）を含み、
組立後、前記第二の凸部側面（１２２）は前記第二の凹部側面（２２２）に当接し、前記第一の凸部側面（１２１）と前記第一の凹部側面（２２１）との間には０ｍｍ〜０．２ｍｍの隙間が設けられる
ことを特徴とする請求項１に記載の安定型ロック構造。
【請求項９】
前記第一の凸部側面（１２１）が前記第一の凹部側面（２２１）に当接する
ことを特徴とする請求項８に記載の安定型ロック構造。
【請求項１０】
前記雌ほぞ部（２１０）の内側壁（２５０）と内底面（２６０）とは移行面（２７０）を介して接続され、前記移行面（２７０）と水平面との間の鋭角夾角が１０°〜１５°である
ことを特徴とする請求項１に記載の安定型ロック構造。
【考案の詳細な説明】
【技術分野】
【０００１】
本考案は、木質フローリングのロック構造の技術分野に関し、特に、安定型ロック構造に関する。
【背景技術】
【０００２】
ロック構造は、ソリッドウッドフローリング、複合フローリング、ラミネートフローリングの組立固定構造で広く使用されている。木質フローリングは、乾燥収縮及び湿潤膨張の特性を有しており、特に、ソリッドウッドフローリングではその寸法変化率及び異方性が比較的大きい。そのため、ロック構造が緩く組み立てられるように設計されている場合には木質フローリングの収縮によってロックが解除されてしまう一方で、ロック構造がしっかりと組み立てられるように設計されている場合には木質フローリングの膨張によってロックが解除されるとともに、踏み音も発生してしまう。
【考案の概要】
【考案が解決しようとする課題】
【０００３】
本考案は、上記の技術課題を克服することによりロック構造にサイレント性及び強いロック力という効果を兼備させるものであり、木質フローリングの収縮や膨張によるロック解除を効果的に回避することのできる安定型ロック構造を提供することを目的とする。
【課題を解決するための手段】
【０００４】
上記技術的目的を実現するため、本考案は、安定型ロック構造を提供する。本考案による安定型ロック構造は、雄ほぞ構造と雌ほぞ構造とを含み、前記雄ほぞ構造が、雄ほぞ部と、前記雄ほぞ部の下底面に形成された雄ほぞ凸部とを含み、前記雌ほぞ構造が、雌ほぞ部と、前記雌ほぞ部の内底面に開設された雌ほぞ凹部とを含み、且つ、前記雌ほぞ凹部が前記雄ほぞ凸部と合わさる。前記雄ほぞ構造は、前記雄ほぞ部の前縁上部に形成された前縁凸部をさらに含み、前記雌ほぞ構造は、前記雌ほぞ部の内頂面に開設された内縁凹部をさらに含み、且つ、前記内縁凹部が前記前縁凸部と合わさる。
【０００５】
従来技術のロック構造では、雄ほぞ部の下底面に雄ほぞ凸部が形成され、雌ほぞ部の内底面に雌ほぞ凹部が開設されており、両者が合わさることによってロックが実現される。しかしながら、組み立てを容易にするため、雌ほぞ凹部は、両側に傾斜した溝壁を備えた逆台形の凹溝として設計されており、雄ほぞ凸部は、雌ほぞ凹部の形状に合わさる形状を有している。長期にわたる実践と研究により、本願の考案者は、木質フローリングが乾燥した環境で収縮するとき、隣接する２つのフロアブロックが互いに離れるように反対側に移動し、また、雄ほぞ凸部の第二の凸部側面と雌ほぞ凹部の第二の凹部側面との間の当接作用により、雄ほぞ凸部の第二の凸部側面が雌ほぞ凹部の第二の凹部側面に沿って斜め上方にスライドし、最終的にロック構造が解除されてしまうこと、及び、木質フローリングが湿気の多い環境で膨張するとき、逆台形の凹溝形状をなす雌ほぞ凹部が雄ほぞ凸部を押して雄ほぞ凸部を持ち上げ、最終的にロック構造が解除されてしまうこと、を見出した。
【０００６】
本考案による安定型ロック構造によれば、木質フローリングが乾燥した環境で収縮するとき、雄ほぞ凸部の第二の凸部側面が雌ほぞ凹部の第二の凹部側面に沿って斜め上方にスライドする傾向が生じ、又は、木質フローリングが湿気の多い環境で膨張するとき、雌ほぞ凹部が雄ほぞ凸部を押して雄ほぞ凸部を持ち上げる。そして、前縁凸部と内縁凹部との合わさり、及び、雄ほぞ凸部と雌ほぞ凹部との合わさりによって、前縁凸部が内縁凹部に当接し、雄ほぞ構造が雌ほぞ構造から抜け出るのが回避される。これにより、本考案による安定型ロック構造は、木質フローリングの収縮や膨張によるロック解除の問題を引き起こさず、また、踏み音の実際の発生状況に応じて適切な組立の締め具合を選択することもできる。
【０００７】
好ましい技術案として、前記前縁凸部の凸起高さは、０．４５ｍｍ〜０．７５ｍｍである。
【０００８】
好ましい技術案として、前記前縁凸部は、前記雄ほぞ部の基端側に近い前縁凸部内側面と、前記雄ほぞ部の前端面に接続される前縁凸部外側面とを含み、前記前縁凸部内側面の頂線と根元部とによって形成された平面と、前記雄ほぞ部の上頂面とのなす角度が１４０°〜１５０°である。
【０００９】
前記安定型ロック構造において、前縁凸部内側面の頂線と根元部とによって形成された平面を、雄ほぞ部の上頂面に対して１４０°〜１５０°の角度を有するように設けることにより、取り付けを容易にしながら、雄ほぞ凸部と雌ほぞ凹部とが合わさって、セルフロックを形成することができる。
【００１０】
好ましい技術案として、前記内縁凹部は、前記前縁凸部内側面に当接して合わさる第一の内縁凹部側壁と、前記第一の内縁凹部側壁に対向する第二の内縁凹部側壁と、内縁凹部底面とを含み、前記第一の内縁凹部側壁と第一の頂面部とのなす角度が１３５°〜１４５°である。
【００１１】
好ましい技術案として、前記第二の内縁凹部側壁と第二の頂面部とのなす角度が１５０°〜１６０°である。
【００１２】
前記安定型ロック構造において、第二の内縁凹部側壁を、第二の頂面部に対して１５０°〜１６０°の角度を有するように設けることにより、木質フローリングが湿気の多い環境で膨張するとき、前縁凸部の頂部又は前側と第二の内縁凹部側壁との間に線接触のみが形成され、両者が面接触するのを効果的に回避し、音を引き起こす問題を回避することができる。
【００１３】
好ましい技術案として、前記第一の頂面部と前記雄ほぞ部の上頂面との間には０．０８ｍｍ〜０．１２ｍｍの隙間が設けられている。
【００１４】
好ましい技術案として、前記第一の頂面部とフローリング表面との間の距離は、前記第二の頂面部とフローリング表面との間の距離よりも０．３２ｍｍ〜０．５０ｍｍ大きい。
【００１５】
前記安定型ロック構造において、第二の頂面部を第一の頂面部よりも高い位置に設けることにより、第二の内縁凹部側壁の傾斜角度に合わさって、前縁凸部の頂部又は前側と第二の内縁凹部側壁との間に面接触が形成されるのをさらに回避し、音を引き起こす問題を回避することができる。
【００１６】
好ましい技術案として、前記雄ほぞ凸部は、第一の凸部側面と、第二の凸部側面と、凸部頂面とを含み、前記雌ほぞ凹部が、前記第一の凸部側面、前記第二の凸部側面及び前記凸部頂面にそれぞれ合わさる、第一の凹部側面、第二の凹部側面及び凹部底面を含み、組立後、前記第二の凸部側面は前記第二の凹部側面に当接し、前記第一の凸部側面と前記第一の凹部側面との間には０ｍｍ〜０．２ｍｍの隙間が設けられる。
【００１７】
好ましい技術案として、前記第一の凸部側面は前記第一の凹部側面に当接する。
【００１８】
従来技術では、湿気の多い環境で木質フローリングにおける雌ほぞ凹部が雄ほぞ凸部を押して雄ほぞ凸部を持ち上げることによるロック解除を回避するために、第一の凸部側面と第一の凹部側面との間に比較的大きな隙間が予め確保されており、これが、ロック構造の踏み音の発生の一因になっていた。本考案による安定型ロック構造においては、第一の凸部側面と第一の凹部側面との間に予め確保される隙間を、比較的小さくするか又はなくす（両者が当接して合わさるようにする）ことが可能であり、これにより、踏み音をより効果的に回避できる。
【００１９】
好ましい技術案として、前記雌ほぞ部の内側壁と内底面とは移行面を介して接続され、前記移行面と水平面との間の鋭角夾角が１０°〜１５°である。
【００２０】
本考案による安定型ロック構造によれば、前縁凸部と内縁凹部との合わさり、及び、雄ほぞ凸部と雌ほぞ凹部との合わさりによって、前縁凸部が内縁凹部に当接し、雄ほぞ構造が雌ほぞ構造から抜け出るのが回避される。これにより、本考案による安定型ロック構造は、木質フローリングの収縮及び／又は膨張によるロック解除の問題を引き起こさず、また、踏み音の実際の発生状況に応じて適切な組立の締め具合を選択することもできる。したがって、本考案による安定型ロック構造は、サイレント性及び強いロック力という効果を兼備できるという利点を有する。
【図面の簡単な説明】
【００２１】
本願の一部を構成する図面は、本願のさらなる理解を提供するために使用され、本願の例示的な実施例及びその説明は、本願を解釈するために使用され、本願に対する不適切な制限にならない。図面において、
【図１】本考案の一実施例による安定型ロック構造の模式図である。
【図２】本考案の一実施例による安定型ロック構造における前縁凸部の模式図である。
【図３】本考案の一実施例による安定型ロック構造における内縁凹部の模式図である。
【図４】図１のＡ箇所の部分拡大図である。
【考案を実施するための形態】
【００２２】
以下、図面及び実施例を参照しながら、本考案を詳しく説明する。
【００２３】
［実施例］
図１に示す安定型ロック構造を参照すると、安定型ロック構造は、雄ほぞ構造１００と雌ほぞ構造２００とを含む。雄ほぞ構造１００は、雄ほぞのほぞ部（以下「雄ほぞ部」という）１１０と、雄ほぞ部１１０の下底面に形成された雄ほぞ凸部１２０とを含み、雌ほぞ構造２００は、雌ほぞのほぞ部（以下「雌ほぞ部」という）２１０と、雌ほぞ部２１０の内底面に開設された雌ほぞ凹部２２０とを含み、且つ、雌ほぞ凹部２２０が雄ほぞ凸部１２０と合わさる。雄ほぞ構造１００は、雄ほぞ部１１０の前縁上部に形成された前縁凸部１３０をさらに含み、雌ほぞ構造２００は、雌ほぞ部２１０の内頂面に開設された内縁凹部２３０をさらに含み、且つ、内縁凹部２３０が前縁凸部１３０と合わさる。
【００２４】
前記安定型ロック構造によれば、木質フローリングが乾燥した環境で収縮するとき、雄ほぞ凸部１２０の第二の凸部側面１２２が、雌ほぞ凹部２２０の第二の凹部側面２２２に沿って斜め上方にスライドする傾向が生じ（図４参照）、または、木質フローリングが湿気の多い環境で膨張するとき、雌ほぞ凹部２２０が雄ほぞ凸部１２０を押して雄ほぞ凸部１２０を持ち上げる。そして、前縁凸部１３０と内縁凹部２３０との合わさり、及び、雄ほぞ凸部１２０と雌ほぞ凹部２２０との合わさりによって、前縁凸部１３０が内縁凹部２３０に当接し、雄ほぞ構造１００が雌ほぞ構造２００から抜け出るのが回避される。これにより、前記安定型ロック構造は、木質フローリングの収縮および膨張によるロック解除の問題を引き起こさず、また、踏み音の実際の発生状況に応じて適切な組立の締め具合を選択することもできる。
【００２５】
具体的に、図２を参照すると、前記安定型ロック構造において、前縁凸部１３０の凸起高さは０．４５ｍｍ〜０．７５ｍｍである。前縁凸部１３０は、雄ほぞ部１１０の基端側に近い前縁凸部内側面１３１と、雄ほぞ部１１０の前端面に接続される前縁凸部外側面１３２とを含み、前縁凸部内側面１３１の頂線と根元部とによって形成された平面Ｂと、雄ほぞ部１１０の上頂面とのなす角度が１４０°〜１５０°である。好ましくは、平面Ｂと雄ほぞ部１１０の上頂面とのなす角度が１４５°である。
【００２６】
前記安定型ロック構造において、このように前縁凸部内側面１３１の傾斜角度や前縁凸部１３０の凸起高さを設定することで、取り付けを容易にしながら、雄ほぞ凸部１１０と雌ほぞ凹部２１０とが合わさって、セルフロックを形成することができる。
【００２７】
図３を参照すると、内縁凹部２３０は、前縁凸部内側面１３１に当接して合わさる第一の内縁凹部側壁２３１と、第一の内縁凹部側壁２３１に対向する第二の内縁凹部側壁２３２と、内縁凹部底面２３３とを含む。第一の内縁凹部側壁２３１と第一の頂面部２４１とのなす角度は１３５°〜１４５°（好ましくは１４０°）であり、第二の内縁凹部側壁２３２と第二の頂面部２４２とのなす角度は１５０°〜１６０°（好ましくは１５５°）である。また、第一の頂面部２４１とフローリング表面３００との間の距離は、第二の頂面部２４２とフローリング表面３００との間の距離よりも０．３２ｍｍ〜０．５０ｍｍ大きい。
【００２８】
前記安定型ロック構造において、第二の内縁凹部側壁２３２を、第二の頂面部２４２に対して１５０°〜１６０°の角度を有するように設けることにより、木質フローリングが湿気の多い環境で膨張するとき、前縁凸部１３０の頂部又は前側と第二の内縁凹部側壁２３２との間に線接触のみが形成され、その両者が面接触するのを効果的に回避し、音を引き起こす問題を回避することができる。
【００２９】
さらに、第二の頂面部２４２を第一の頂面部２４１よりも高く設けることにより、第二の内縁凹部側壁２３２の傾斜角度に合わさって、前縁凸部１３０の頂部又は前側と第二の内縁凹部側壁２３２との間に面接触が形成されるのをさらに回避し、音を引き起こす問題を回避することができる。
【００３０】
図１に戻って、第一の頂面部２４１と雄ほぞ部１１０の上頂面との間には０．０８ｍｍ〜０．１２ｍｍの隙間が設けられている。
【００３１】
図４を参照すると、雄ほぞ凸部１２０は、第一の凸部側面１２１と、第二の凸部側面１２２と、凸部頂面１２３とを含み、雌ほぞ凹部２２０は、第一の凸部側面１２１、第二の凸部側面１２２及び凸部頂面１２３にそれぞれ合わさる、第一の凹部側面２２１、第二の凹部側面２２２及び凹部底面２２３を含み、組立後、第二の凸部側面１２２は第二の凹部側面２２２に当接し、第一の凸部側面１２１と第一の凹部側面２２１との間には０．２ｍｍ未満の隙間が形成される。又は、他のいくつかの実施形態において、第一の凸部側面１２１と第一の凹部側面２２１とは隙間なく当接する。
【００３２】
従来技術では、湿気の多い環境で木質フローリングにおける雌ほぞ凹部２２０が雄ほぞ凸部１２０を押して雄ほぞ凸部１２０を持ち上げることによるロック解除を回避するために、第一の凸部側面１２１と第一の凸部側面２２１との間に比較的大きな隙間が予め確保されており、これが、ロック構造の踏み音の発生の一因になっていた。これに対し、前記安定型ロック構造においては、第一の凸部側面１２１と第一の凹部側面２２１との間に予め確保される隙間を、比較的小さくするか又はなくす（両者が当接して合わさるようにする）ことが可能であり、これにより、踏み音の発生をより効果的に回避できる。
【００３３】
好ましい例として、雌ほぞ部２１０の内側壁２５０と内底面２６０とは移行面２７０を介して接続され、主に組み立てを容易にするため、移行面２７０と水平面との間の鋭角夾角が１０°〜１５°（好ましくは１２°）である。
【００３４】
本考案による安定型ロック構造の実施例において、雄ほぞ構造及び雌ほぞ構造は、いずれも木質フローリング用ブランクの四辺側で成形フライスすることにより作製されたものである。
【００３５】
上記の説明は、本願の好ましい実施例に過ぎず、本願を制限することを意図するものではなく、当業者にとって、本願は、様々な変更およびバリエーションを有し得る。本願の精神及び原則の範囲内で行われた如何なる修正、均等的置換、改善等は、本願の保護範囲に含まれるものとする。
【符号の説明】
【００３６】
１００…雄ほぞ構造、１１０…雄ほぞ部、１２０…雄ほぞ凸部、１２１…第一の凸部側面、１２２…第二の凸部側面、１２３…凸部頂面、１３０…前縁凸部、１３１…前縁凸部内側面、１３２…前縁凸部外側面、２００…雌ほぞ構造、２１０…雌ほぞ部、２２０…雌ほぞ凹部、２２１…第一の凹部側面、２２２…第二の凹部側面、２２３…凹部底面、２３０…内縁凹部、２３１…第一の内縁凹部側壁、２３２…第二の内縁凹部側壁、２３３…内縁凹部底面、２４１…第一の頂面部、２４２…第二の頂面部、２５０…内側壁、２６０…内底面、２７０…移行面、３００…フローリング表面
【図１】
0003227822.tif 000003
【図２】
0003227822.tif 000004
【図３】
0003227822.tif 000005
【図４】
0003227822.tif 000006
【手続補正書】
【提出日】令和2年6月16日(2020.6.16)
【手続補正１】
【補正対象書類名】実用新案登録請求の範囲
【補正対象項目名】全文
【補正方法】変更
【補正の内容】
【実用新案登録請求の範囲】
【請求項１】
雄ほぞ構造（１００）と雌ほぞ構造（２００）とを含み、前記雄ほぞ構造（１００）が、雄ほぞ部（１１０）と、前記雄ほぞ部（１１０）の下底面に形成された雄ほぞ凸部（１２０）とを含み、前記雌ほぞ構造（２００）が、雌ほぞ部（２１０）と、前記雌ほぞ部（２１０）の内底面に開設された雌ほぞ凹部（２２０）とを含み、且つ、前記雌ほぞ凹部（２２０）が前記雄ほぞ凸部（１２０）と合わさる安定型ロック構造を有する木質フローリングであって、
前記雄ほぞ構造（１００）は、前記雄ほぞ部（１１０）の前縁上部に形成された前縁凸部（１３０）をさらに含み、前記雌ほぞ構造（２００）は、前記雌ほぞ部（２１０）の内頂面に開設された内縁凹部（２３０）をさらに含み、且つ、前記内縁凹部（２３０）が前記前縁凸部（１３０）と合わさる
ことを特徴とする安定型ロック構造を有する木質フローリング。
【請求項２】
前記前縁凸部（１３０）の凸起高さは、０．４５ｍｍ〜０．７５ｍｍである
ことを特徴とする請求項１に記載の安定型ロック構造を有する木質フローリング。
【請求項３】
前記前縁凸部（１３０）は、前記雄ほぞ部（１１０）の基端側に近い前縁凸部内側面（１３１）と、前記雄ほぞ部（１１０）の前端面に接続される前縁凸部外側面（１３２）とを含み、
前記前縁凸部内側面（１３１）の頂線と根元部とによって形成された平面（Ｂ）と、前記雄ほぞ部（１１０）の上頂面とのなす角度が１４０°〜１５０°である
ことを特徴とする請求項１に記載の安定型ロック構造を有する木質フローリング。
【請求項４】
前記内縁凹部（２３０）は、前記前縁凸部内側面（１３１）に当接して合わさる第一の内縁凹部側壁（２３１）と、前記第一の内縁凹部側壁（２３１）に対向する第二の内縁凹部側壁（２３２）と、内縁凹部底面（２３３）とを含み、
前記第一の内縁凹部側壁（２３１）と第一の頂面部（２４１）とのなす角度が１３５°〜１４５°である
ことを特徴とする請求項３に記載の安定型ロック構造を有する木質フローリング。
【請求項５】
前記第二の内縁凹部側壁（２３２）と第二の頂面部（２４２）とのなす角度が１５０°〜１６０°である
ことを特徴とする請求項４に記載の安定型ロック構造を有する木質フローリング。
【請求項６】
前記第一の頂面部（２４１）と前記雄ほぞ部（１１０）の上頂面との間には０．０８ｍｍ〜０．１２ｍｍの隙間が設けられている
ことを特徴とする請求項５に記載の安定型ロック構造を有する木質フローリング。
【請求項７】
前記第一の頂面部（２４１）とフローリング表面との間の距離は、前記第二の頂面部（２４２）とフローリング表面との間の距離よりも０．３２ｍｍ〜０．５０ｍｍ大きい
ことを特徴とする請求項５に記載の安定型ロック構造を有する木質フローリング。
【請求項８】
前記雄ほぞ凸部（１２０）は、第一の凸部側面（１２１）と、第二の凸部側面（１２２）と、凸部頂面（１２３）とを含み、
前記雌ほぞ凹部（２２０）は、前記第一の凸部側面（１２１）、前記第二の凸部側面（１２２）及び前記凸部頂面（１２３）にそれぞれ合わさる、第一の凹部側面（２２１）、第二の凹部側面（２２２）及び凹部底面（２２３）を含み、
組立後、前記第二の凸部側面（１２２）は前記第二の凹部側面（２２２）に当接し、前記第一の凸部側面（１２１）と前記第一の凹部側面（２２１）との間には０ｍｍ〜０．２ｍｍの隙間が設けられる
ことを特徴とする請求項１に記載の安定型ロック構造を有する木質フローリング。
【請求項９】
前記第一の凸部側面（１２１）が前記第一の凹部側面（２２１）に当接する
ことを特徴とする請求項８に記載の安定型ロック構造を有する木質フローリング。
【請求項１０】
前記雌ほぞ部（２１０）の内側壁（２５０）と内底面（２６０）とは移行面（２７０）を介して接続され、前記移行面（２７０）と水平面との間の鋭角夾角が１０°〜１５°である
ことを特徴とする請求項１に記載の安定型ロック構造を有する木質フローリング。
【手続補正３】
【補正対象書類名】明細書
【補正対象項目名】０００１
【補正方法】変更
【補正の内容】
【０００１】
本考案は、木質フローリングのロック構造の技術分野に関し、特に、安定型ロック構造を有する木質フローリングに関する。
【手続補正４】
【補正対象書類名】明細書
【補正対象項目名】０００３
【補正方法】変更
【補正の内容】
【０００３】
本考案は、上記の技術課題を克服することによりロック構造にサイレント性及び強いロック力という効果を兼備させるものであり、収縮や膨張によるロック解除を効果的に回避することのできる安定型ロック構造を有する木質フローリングを提供することを目的とする。
【手続補正５】
【補正対象書類名】明細書
【補正対象項目名】０００４
【補正方法】変更
【補正の内容】
【０００４】
上記技術的目的を実現するため、本考案は、安定型ロック構造を有する木質フローリングを提供する。前記安定型ロック構造は、雄ほぞ構造と雌ほぞ構造とを含み、前記雄ほぞ構造が、雄ほぞ部と、前記雄ほぞ部の下底面に形成された雄ほぞ凸部とを含み、前記雌ほぞ構造が、雌ほぞ部と、前記雌ほぞ部の内底面に開設された雌ほぞ凹部とを含み、且つ、前記雌ほぞ凹部が前記雄ほぞ凸部と合わさる。前記雄ほぞ構造は、前記雄ほぞ部の前縁上部に形成された前縁凸部をさらに含み、前記雌ほぞ構造は、前記雌ほぞ部の内頂面に開設された内縁凹部をさらに含み、且つ、前記内縁凹部が前記前縁凸部と合わさる。
【手続補正６】
【補正対象書類名】明細書
【補正対象項目名】０００６
【補正方法】変更
【補正の内容】
【０００６】
本考案による安定型ロック構造を有する木質フローリングによれば、木質フローリングが乾燥した環境で収縮するとき、安定型ロック構造においては、雄ほぞ凸部の第二の凸部側面が雌ほぞ凹部の第二の凹部側面に沿って斜め上方にスライドする傾向が生じ、又は、木質フローリングが湿気の多い環境で膨張するとき、安定型ロック構造においては、雌ほぞ凹部が雄ほぞ凸部を押して雄ほぞ凸部を持ち上げる。そして、前縁凸部と内縁凹部との合わさり、及び、雄ほぞ凸部と雌ほぞ凹部との合わさりによって、前縁凸部が内縁凹部に当接し、雄ほぞ構造が雌ほぞ構造から抜け出るのが回避される。これにより、本考案による安定型ロック構造を有する木質フローリングは、収縮や膨張によるロック解除の問題を引き起こさず、また、踏み音の実際の発生状況に応じて適切な組立の締め具合を選択することもできる。
【手続補正７】
【補正対象書類名】明細書
【補正対象項目名】００２０
【補正方法】変更
【補正の内容】
【００２０】
本考案による安定型ロック構造を有する木質フローリングによれば、安定型ロック構造における、前縁凸部と内縁凹部との合わさり、及び、雄ほぞ凸部と雌ほぞ凹部との合わさりによって、前縁凸部が内縁凹部に当接し、雄ほぞ構造が雌ほぞ構造から抜け出るのが回避される。これにより、本考案による安定型ロック構造を有する木質フローリングは、収縮及び／又は膨張によるロック解除の問題を引き起こさず、また、踏み音の実際の発生状況に応じて適切な組立の締め具合を選択することもできる。したがって、本考案による安定型ロック構造を有する木質フローリングは、サイレント性及び強いロック力という効果を兼備できるという利点を有する。
【手続補正８】
【補正対象書類名】明細書
【補正対象項目名】００２３
【補正方法】変更
【補正の内容】
【００２３】
［実施例］
図１に示す木質フローリングの安定型ロック構造を参照すると、安定型ロック構造は、雄ほぞ構造１００と雌ほぞ構造２００とを含む。雄ほぞ構造１００は、雄ほぞのほぞ部（以下「雄ほぞ部」という）１１０と、雄ほぞ部１１０の下底面に形成された雄ほぞ凸部１２０とを含み、雌ほぞ構造２００は、雌ほぞのほぞ部（以下「雌ほぞ部」という）２１０と、雌ほぞ部２１０の内底面に開設された雌ほぞ凹部２２０とを含み、且つ、雌ほぞ凹部２２０が雄ほぞ凸部１２０と合わさる。雄ほぞ構造１００は、雄ほぞ部１１０の前縁上部に形成された前縁凸部１３０をさらに含み、雌ほぞ構造２００は、雌ほぞ部２１０の内頂面に開設された内縁凹部２３０をさらに含み、且つ、内縁凹部２３０が前縁凸部１３０と合わさる。